(57)【要約】【課題】植栽等を植えたポットを家のフェンスや塀等の種々の支持体に水平な状態で保持できるポットハンガーを提供する。【解決手段】ポットハンガ−１は、植栽用ポットを収納可能な載置部２と、Ｌ型屈曲部７を載置部２に結合し、後部９にはフック１０を備えたフック部３とで構成される。フック部３を塀などの支持体に係合させることにより載置部２が支持体に設置されたとき、その支持体と載置部２との間に位置して載置部２を水平に保持する調整具１１が、フック部３に取り付けられる。【選択図】　図１
2004089553.tif 000002
【特許請求の範囲】
【請求項１】
植栽用ポットを収納可能な載置部（２，４２）と、Ｌ型屈曲部（７，４７）を前記載置部（２，４２）に結合し後部（９，４９）にはフック（１０，５０）を備えたフック部（３，４３）とで構成され、前記フック部（３，４３）を支持体（Ａ，Ｂ，Ｃ）に係合させることにより、前記載置部（２，４２）を前記支持体（Ａ，Ｂ，Ｃ）に設置するポットハンガー（１，４１）であって、前記支持体（Ａ，Ｂ，Ｃ）に前記載置部（２，４２）が設置されたとき前記支持体（Ａ，Ｂ，Ｃ）と前記載置部（２，４２）との間に位置して前記載置部（２，４２）の姿勢を調整するように前記フック部（３，４３）に取り付けられる調整具（１１，２１，３１）を備えたことを特徴とするポットハンガー。
【請求項２】
前記調整具（１１，２１，３１）は、前記フック部（３，４３）に対して着脱可能に取り付けられることを特徴とする請求項１記載のポットハンガー。
【請求項３】
前記調整具（１１，２１，３１）は、前記フック部（３，４３）に対して移動自在に取り付けられることを特徴とする請求項１記載のポットハンガー。
【請求項４】
前記調整具（１１）は、前記フック部（３）に係合する凹部（１２）を有する板状体からなることを特徴とする請求項２又は３記載のポットハンガー。
【請求項５】
前記調整具（２１，３１）は、略コ字状に形成され両端部に前記フック部（３，４３）と係合する凹部（２２，３２）を有する帯状体からなることを特徴とする請求項２又は３記載のポットハンガー。
【発明の詳細な説明】
【０００１】
【発明の属する技術分野】
本発明は、植栽用のポットを収容し、フェンスや塀等の支持体に引っ掛けて吊り下げ設置するポットハンガーに関する。
【０００２】
【従来の技術】
上記のポットハンガーを利用して、草花等を植えたポットを壁等に取り付けることが行われている。この種のポットハンガーは、ポットを収納可能な載置部と、この載置部に設けられたフック部とを備え、該フック部を支持体に引っ掛けて載置部を支持体に設置するように構成されている（例えば、特許文献１参照）。これは、図１０に示すように、一端が載置部６０に結合した長尺アーム６１と、この長尺アーム６１の他端に折り返し頂部６４を介して連なる短尺アーム６２とで、フック部６３を構成し、上記折り返し頂部６４は短尺アーム６２側に凹部６５を形成し、折り返し頂部６４の下側の間隔Ｄｎが、載置部６０に連なる長尺アーム６１の下端部と短尺アーム６２の下端との間隔Ｄｗよりも小さくなるように形成されている。
【０００３】
【特許文献１】
実用新案登録第３０６６４５２号公報
【０００４】
【発明が解決しようとする課題】
しかしながら、フェンスや塀等の支持体の上部形状や幅は様々であるのに対し、図１０に示した従来のポットハンガーにおいては、長尺アーム６１と短尺アーム６２との間に２段階の間隔Ｄｎ及びＤｗを有するポットハンガーのフック部６３を支持体Ｓ上に取り付けたとき、支持体の形状や幅の違いにより、載置部６０の背面側（フック部６３側）の端と支持体Ｓの面との間に隙間ｄを生ずる場合がある。このような場合、載置部６０は、支持体Ｓの上端に係合した折り返し頂部６４の凹部６５を中心として、図中反時計回りに回動し、支持体Ｓの面に当って止まったとき、ポットハンガー全体が前下がりに傾くと共に不安定な状態となる。この傾きが大きいと、載置部６０に収納したポットに水を入れたとき、水がポット内の土に染込むよりもポットの外に溢れ出やすく、その水と共に溢れた土や肥料が周囲を汚すという問題もある。
【０００５】
本発明の主な目的は、上記の問題を解決し、草花等を植えたポットを家のフェンスや塀等の支持体の面に水平に保持できるポットハンガーを提供することである。
【０００６】
【課題を解決するための手段】
本発明は、ポットを収納可能な載置部と、Ｌ型屈曲部を載置部に結合し、後部にフックを備えたフック部とで構成し、フック部を支持体に係合させることにより、前記載置部を支持体に設置するポットハンガーであって、支持体に載置部が設置されたとき、当該支持体と載置部との間に位置して載置部の姿勢を調整するように取り付けられる調整具を備えたことを特徴とする。
【０００７】
本発明の実施態様では、前記調整具は、フック部に対して着脱可能且つ移動自在に取り付けられる。また、前記調整具は、フック部に係合する凹部を有する板状体、又は、略コ字状に形成された両端部にフック部と係合する凹部を有する帯状体で構成される。
【０００８】
【効果】
本発明によれば、ポットハンガーをフェンス等の支持体に設置したとき支持体と載置部との間に位置する調整具により、支持体と載置部との間隔の大小にかかわらず、載置部を支持体の面に対して水平に保持できるので、従来のように傾いた載置部に収納したポットから水や土、肥料がこぼれ出たり外観を損なったりすることも防止できる。更に、支持体に複数個のポットハンガーを設置する場合には、各ポットハンガーの調整具により、各々の載置部を同じ姿勢で保持できるので、全体に統一感があり美観が向上する。
【０００９】
前記調整具がフック部に着脱自在に取り付けられる場合は、製造したポットハンガーを市場に出荷する際に、調整具を付けない状態で複数のポットハンガーを重ね置きすることができる。また、調整具がフック部に対して移動自在に取り付けられるため、フェンス等の支持体と載置部との間隔に応じて調整具を移動させることにより、支持体の幅の如何によらず、ポットを収納する載置部を水平に保持することができる。初回に調整したポットハンガーに於ては、同一の支持体に関しては再度調整する必要はない。また、前記調整具をフック部に係合する凹部を有する板状体又は略コ字状の帯状体とすることにより、調整具を成型で容易且つ安価に製作できる。
【００１０】
【発明の実施の形態】
図１は、実施例のポットハンガー１のフック部３に調整具１１を取り付けた状態を示す斜視図である。このポットハンガー１は、棒材を屈曲形成して植栽用ポットを収容可能な載置部２と、フェンスや塀等の所定幅を有する支持体の上端部に係合可能なフック部３とで構成されている。
【００１１】
載置部２は、金属製の棒材により略凹状に屈曲形成された横材４と、該横材４に直交し略凹状に屈曲形成された縦材５とが、略円形状の受リング６に溶接で固定されており、これによって、ポットを収納するためのスペースが形成されている。なお、このスペースには、ポットを使用せずに椰子殻等により植栽を直接収容してもよい。
【００１２】
フック部３は、略平行な２本の棒材からなり、上記載置部２の横材４と直行する縦材５を形成しているＬ型屈曲部７と、該Ｌ型屈曲部７の上端に形成された折り返し頂部８と、該折り返し頂部８から後部９まで下方に延びたフック１０とを備えている。折り返し頂部８は、フェンスや塀等の幅の異なる支持体に対応し得るように逆Ｖ字状に屈曲形成されている。
【００１３】
上記フック部３を形成する２本の棒材のＬ型屈曲部７は、載置部２を形成する縦材５と一体に結合して、支持体に支持させるに十分な長さを有し、調整具１１が移動自在に取り付けられている。調整具１１は、フェンス等の支持体に載置部２が設置されたとき支持体と載置部２との間に位置し、Ｌ型屈曲部７及び湾曲部１６に沿って移動することで支持体との間隔を調整し、載置部２を水平に保持できるものである。
【００１４】
図２は、上記フック部３のＬ型屈曲部７に取り付けられる調整具１１を示す。図において、調整具１１は金属、プラスチック、或いは木片等からなる板状体で形成され、調整具１１の両端部には凹部１２が形成されてＬ型屈曲部７に移動自在に係合している。調整具１１の前面は載置部２にポットを収容する際に邪魔にならないように円弧状の逃げ部１４が形成され、背面（フック側）１３は調整具１１が移動して支持体に当接したときに面で接することで載置部２を安定支持する。また、調整具１１の背面に略Ｖ字状の溝１５を形成することによって、棒状等の支持体の突出面に対応して安定に支持することができる。フック部３に調整具１１を着脱する際には、図中２点鎖線で示すように調整具１１を斜めに傾けることにより、フック部３のＬ型屈曲部７から簡単に取り出せる。
【００１５】
図３は、幅の異なる支持体Ａ，Ｂ，Ｃの各面に対して、載置部２を水平状態に支持するために、調整具１１をいくつかの位置に移動させた状態（各状態の調整具１１の位置を１１ａ，１１ｂ，１１ｃ，１１ｄ，で表す）を示す側面断面図である。図において、載置部２を幅狭の支持体Ａに設置する場合は、載置部２と支持体Ａとの間に位置する調整具１１を支持体Ａ上の位置Ｐ１で当接させる。このとき、図示の位置１１ａにある調整具１１は、支持体Ａの上部に係合するフック１０によって支持された載置部２と支持体Ａとの間で突支いのように作用して、載置部２を水平な状態に支持することができる。
【００１６】
また、幅の広い支持体Ｂ及びＣの場合にも、調整具１１を位置１１ｂ及び１１ｃに移動させ、支持体上の位置Ｐ２，Ｐ３で当接させることにより、上記と同様に載置部２を水平に支持することができる。特に、Ｌ型屈曲部７の湾曲部分１６（角度θで示す範囲）で調整具１１を移動させるとき、支持体の幅（壁等の厚さ）が相違しても、載置部２を水平に支持できるという効果が顕著である。
【００１７】
図４は、幅や上部形状等が異なる支持体に対応するための調整具１１の取り付け状態を示す。図において、ラティス（格子）やネットのような支持体Ａ（実線で示す）の場合は、支持体Ａが幅狭なため、調整具を１１ａの位置に移動するだけで、Ｌ型屈曲部７が重ね置き用に後傾しているため、載置部２が水平状態で支持体Ａに接蝕することができる。また、幅広の支持体Ｂ（２点鎖線で示す）の場合は、位置１１ｂに調整具１１を移動し、調整具が角度変化することにより載置部２が水平に支持される。上端部が幅広の支持体Ｃ（２点鎖線で示す）の場合は、位置１１ｃに調整具１１を移動することにより、載置部２は水平に支持される。
【００１８】
図５は、ポットハンガー１のフック部３を変形して幅の異なる支持体に設置した状態を示す。この場合、ポットハンガー１は、図１に示した折り返し頂部８からフック１０に至る部分を図示のように曲げてブロック塀等の幅広の支持体に跨るようにフック部３を形成したものである。このように形成することにより、図１のフック部３に比較して高さが低くなり高さのスペ−スが節約できる。このポットハンガー１を幅狭の支持体Ａ（実線で示す）に設置する場合は、支持体Ａのコーナａ１とＬ型屈曲部７との間隔が開いた状態の場合でも、位置１１ａで調整具１１は、図中の実線で示すように載置部２と支持体Ａの前面との間に位置して突支いのように作用し、載置部２を水平に支持する。
【００１９】
また、ポットハンガー１を幅広の支持体Ｂ（２点鎖線で示す）に設置する場合は、支持体Ｂの両コーナｂ１，ｂ２にフック部３が接し、更に、位置１１ｂで調整具１１（２点鎖線で示す）が支持体Ｂの面に接することにより、載置部２が水平状態に支持される。
【００２０】
図６は、ポットハンガーのフック部３の形状の他の例を示す側面図である。この場合、フック部３は、逆Ｖ字状（実線で示す）や湾曲状（２点鎖線で示す）に形成される。フック部３の折り返し頂部８を逆Ｖ字状に形成した場合は、支持体の面と載置部２との間隔が近くなるため、調整具１１の幅を小さくすることができる。また、湾曲状に形成した場合には、支持体の面と載置部２との間隔が離れる分だけ調整具１１の幅を大きく形成すればよい。
【００２１】
図６に示すポットハンガー１は、図４のポットハンガー１に比べ、ポットハンガー１の積み重ねを容易にするために、Ｌ型屈曲部７はほぼ垂直に形成され又横材４の側部及び縦材５の前部は、それぞれの上端部が固定する受けリング６よりも内側が狭くなるように傾斜して形成されている。
【００２２】
図７は、載置部４２をＣ字状の受け４６によって形成したポットハンガー４１に、帯板で形成した調整具２１を取り付けた状態を示す斜視図である。この調整具２１は、帯状体で略コ字状に折り曲げて形成されるが、Ｌ型屈曲部４７に係合する凹部２２は内側に開口している。この調整具２１をフック部４３に対して着脱する場合は、図８に示すように、折り返し頂部４８が図中矢印の方向に近づくように、Ｌ型屈曲部４７を手で握って両方の間隔を狭めることにより、ポットハンガー４１のＣ字状の受け４６の径が縮小して、Ｌ型屈曲部４７と調整具２１の間に緩みが生じ、調整具２１の移動がスムースに行え、手を離せば再度固着するよう幅が狭く形成されているため、同一形状の支持体に対しては再調整の必要はない。さらに載置部２がＣ字形として開口しているため、調整具２１を装着した状態で重ね置きができる。
【００２３】
図９は、帯状体で形成した調整具の別の例を示す。この調整具３１は、略コ字状に折り曲げた帯板の両端部に図１のポットハンガー１のＬ型屈曲部７に係合する凹部２２を外方に開口させて形成したものである。この調整具３１を着脱する際には、前記板状の調整具１１と同様に斜めに傾けることによりフック部３のＬ型屈曲部７から簡単に取り出せる。この調整具３１の両端の間の前方は開放しているため載置部２に収納されるポットの端に当たらない。また、図９に２点鎖線で示すように支持体側の背面３３をＶ字状に屈曲することにより、図２の調整具１１の溝１５と同様のＶ字状の溝３４を形成できる。
【００２４】
最後に、図１のポットハンガー１をフェンス等の支持体に設置する場合について説明する。
【００２５】
図３に示すように、載置部２を幅狭の支持体Ａに設置する場合は、調整具１１を位置１１ａに移動させてその後端を支持体ＡのＰ１の位置で当接させる。このとき、鉢を収納する載置部２は、支持体Ａの上部に係合するフック１０によって支持され、そのＬ型屈曲部７と支持体Ａとの間に挟まれた調整具１１が突支いのように作用して、載置部２を水平な状態に保持する。
【００２６】
また、上記支持体Ａよりも幅の広い支持体Ｂ及びＣの場合は、前述のように調整具１１を、湾曲部分１６（角度θで示す範囲）に沿って、位置１１ｂ及び位置１１ｃにそれぞれ移動させることにより、載置部２を水平状態に保持できる。
【００２７】
更に、図４に示すように、支持体Ａがラティスやネットなどのように斜め格子状に形成された、幅狭の支持体Ａの場合、調整具１１を上方に移動することにより水平が保持でき、或いは縦棒を平行に配列したフェンスの場合には、図２のように調整具１１の後面に形成した溝１５にフェンス等の棒が入るようにして調整具１１を定置させるとよい。
【００２８】
幅広の支持体Ｂの場合は調整具１１を位置１１ｂに移動させると調整具の角度が斜め下向きとなった位置で支持体Ｂに接蝕する。また、幅広の上端部（笠木）を有する支持体Ｃの場合は調整具１１を位置１１ｃに移動させることにより、支持体の幅の大小に応じてポットハンガーの載置部２を水平に保持できる。
【００２９】
また、図５に示す幅狭の支持体Ａに設置する場合は、ポットハンガー１のＬ型屈曲部７と支持体Ａのコーナａ１との間隔が開いた状態で、調整具１１を実線で示す位置１１ａまで移動して、調整具１１の後端が支持体Ａの面に接する位置に置くことにより、調整具１１は載置部２の重量により突支いとして支持体Ａの面に作用し、載置部２を水平状態に保持する。
【００３０】
また、ポットハンガー１を幅広の支持体Ｂに設置する場合は、Ｌ型屈曲部７とフック１０が、支持体Ｂのコーナｂ１，ｂ２とにそれぞれ当接して、調整具１１は図中２点鎖線で示す位置１１ｂに設定されることにより載置部２を水平状態に支持する。
【図面の簡単な説明】
【図１】調整具を取り付けたポットハンガーの斜視図である。
【図２】図１の調整具をＬ型屈曲部に取り付ける様子を示す図である。
【図３】幅の異なる支持体に対応して調整具を移動させた状態を示す断面図である。
【図４】図１のポットハンガーを幅及び形状の異なる支持体に設置した状態を示す側面図である。
【図５】フック部を変形したポットハンガーを幅の異なる支持体に設置した状態を示す側面図である。
【図６】フック部の形状が異なるポットハンガーの側面図である。
【図７】別形態の調整具を取り付けたポットハンガーの斜視図である。
【図８】図７のポットハンガーにおいて調整具の着脱状態をしめす斜視図である。
【図９】他の調整具を示す斜視図である。
【図１０】従来のポットハンガーが支持体に設置された状態を示す側面図である。
【符号の説明】
１，４１…ポットハンガー、２，４２…載置部、３，４３…フック部、４，４４…横材、５，４５…縦材、６…受リング、４６…Ｃ字状の受け、７，４７…Ｌ型屈曲部、８，４８…折り返し頂部、９，４９…後部、１０，５０…フック、１１，２１，３１…調整具、１２，２２，３２…凹部、１３，２３，３３…背面、１４…逃げ部、１５，３４…溝、１６…湾曲部分、Ａ，Ｂ，Ｃ…支持体。
【図１】
2004089553.tif 000003
【図２】
2004089553.tif 000004
【図３】
2004089553.tif 000005
【図４】
2004089553.tif 000006
【図５】
2004089553.tif 000007
【図６】
2004089553.tif 000008
【図７】
2004089553.tif 000009
【図８】
2004089553.tif 000010
【図９】
2004089553.tif 000011
【図１０】
2004089553.tif 000012